(57)【要約】【課題】高齢者や身体障害者などの要介護者の入浴をさせるに際し、１台で寝浴形式でも座浴形式でも利用できる入浴装置を提供する。【解決手段】寝浴用ストレッチャーＥに仰臥した入浴者および座浴用椅子Ｆに座った入浴者の両方とも入浴可能とする入浴装置Ａであって、寝浴用の長尺の浴槽Ｂと、寝浴用ストレッチャーＥを浴槽Ｂの長辺側縁ｂ１に接近させた状態で、浴槽Ｂを寝浴用ストレッチャーＥ上の入浴者を入浴させうる高位置まで上昇させ、かつ寝浴用ストレッチャーＥを進入退避させることが可能な低位置まで下降させうる浴槽昇降機Ｃと、浴槽Ｂの短辺側縁ｂ２の外方に設置された、座浴用椅子Ｆを搬入搬出する椅子搬出入機Ｄとを備える。寝浴用ストレッチャーＥに仰臥した入浴者および座浴用椅子Ｆに座った入浴者の両方とも入浴可能とすることができる。【選択図】図１
2017213146.tif 000002
【特許請求の範囲】
【請求項１】
寝浴用ストレッチャーに仰臥した入浴者および座浴用椅子に座った入浴者の両方とも入浴可能とする入浴装置であって、
寝浴用の長尺の浴槽と、
前記寝浴用ストレッチャーを前記浴槽の長辺側縁に接近させた状態で、該浴槽を寝浴用ストレッチャー上の入浴者を入浴させうる高位置まで上昇させ、かつ該寝浴用ストレッチャーを進入退避させることが可能な低位置まで下降させうる浴槽昇降機と、
前記浴槽の短辺側縁の外方に設置された、座浴用椅子を搬入搬出する椅子搬出入機とを備える
ことを特徴とする寝浴座浴両用入浴装置。
【請求項２】
前記浴槽昇降機が、床面に設置される下フレームと、前記浴槽の底面に取付けられた上フレームと、前記下フレームと前記上フレームとの間に連結されたパンタグラフ機構と、該パンタグラフ機構を伸縮させる水圧シリンダとからなり、
前記水圧シリンダの駆動源が電池である
ことを特徴とする請求項１記載の寝浴座浴両用入浴装置。
【請求項３】
前記搬出入機が、基台と、
前記基台上に設けられ、前記浴槽に対して水平方向に移動可能な横移動手段と、
前記横移動手段上に設けられ、前記浴槽に対して上下方向に移動可能な昇降手段と、
前記昇降手段に取付けられた座浴用椅子を着脱自在に係着する椅子係着部とを備えており、
前記横移動手段が、横フレーム機構と該横フレーム機構を作動させる水圧シリンダと前記横フレーム機構の作動をガイドする横ガイド機構とからなり、
前記横フレーム機構は、基台上に取付けられた基端フレームと、該基端フレームに対し横移動自在な中間フレームと、該中間フレームに対して横移動自在な先端フレームとからなり、
前記昇降手段が縦フレーム機構と該縦フレーム機構を作動させる水圧シリンダと前記縦フレーム機構の作動をガイドする縦ガイド機構とからなり、
前記縦フレーム機構は、下段フレームと該下段フレームに対して昇降自在な上段フレームとからなる
ことを特徴とする請求項１記載の寝浴座浴両用入浴装置。
【請求項４】
前記横ガイド機構は、前記中間フレームに取付けられたガイドバーが、前記基端フレームに取付けられたガイドローラと前記先端フレームに取付けられたガイドローラで挟まれており、前記先端フレームは前記基端フレームに取付けられた固定ローラでガイドされるガイド構造である
ことを特徴とする請求項３記載の寝浴座浴両用入浴装置。
【請求項５】
前記縦ガイド機構は、前記下段フレームに取付けたガイドローラで、前記上段フレームに取付けたガイドバーを挟んでガイドするガイド構造からなり、
前記水圧シリンダの駆動源が電池である
ことを特徴とする請求項３記載の寝浴座浴両用入浴装置。
【発明の詳細な説明】
【技術分野】
【０００１】
本発明は、寝浴座浴両用入浴装置に関する。さらに詳しくは、高齢者や身体障害者などの要介護者の入浴をさせるに際し寝浴形式でも座浴形式でも行える入浴装置に関する。
【背景技術】
【０００２】
従来より要介護者用の入浴装置には、座浴形式のもの（特許文献１ほか多数）と、寝浴形式のもの（特許文献２、３ほか多数）とがある。座浴形式とは入浴者が椅子に座った姿勢で浴槽内につかるものであり、寝浴形式とは入浴者がストレッチャーに仰臥した姿勢で浴槽内につかるものである。
【０００３】
座浴形式の入浴装置は、入浴者が座る椅子と浴槽と椅子を浴槽と洗い場との間で移動させる搬出入機とが必要となる。
寝浴形式の入浴装置は、入浴者が寝るストレッチャーと浴槽とストレッチャーを浴槽に出し入れする浴槽昇降機とが必要となる。また、寝浴用の浴槽は、人の身長より長くなくてはならないので、座浴用の浴槽よりも長いものとなる。
【０００４】
座浴用入浴装置と寝浴用入浴装置は要求される機能が異なることから構造も大きさも異なっており、それらは兼用できず個別に設置されるのが普通であった。
しかるに、小規模な介護施設では座浴用入浴装置と寝浴用入浴装置を両方とも設置するスペースが無かったり、費用の面で設置困難なこともある。
【先行技術文献】
【特許文献】
【０００５】
【特許文献１】特開２０１５−２１１７９６号公報
【特許文献２】特開２００５−２０４７０４号公報
【特許文献３】特開２０１６−５４８９１号公報
【発明の概要】
【発明が解決しようとする課題】
【０００６】
本発明は上記事情に鑑み、高齢者や身体障害者などの要介護者の入浴をさせるに際し、１台で寝浴形式でも座浴形式でも利用できる入浴装置を提供することを目的とする。
【課題を解決するための手段】
【０００７】
第１発明の寝浴座浴両用入浴装置は、寝浴用ストレッチャーに仰臥した入浴者および座浴用椅子に座った入浴者の両方とも入浴可能とする入浴装置であって、寝浴用の長尺の浴槽と、前記寝浴用ストレッチャーを前記浴槽の長辺側縁に接近させた状態で、該浴槽を寝浴用ストレッチャー上の入浴者を入浴させうる高位置まで上昇させ、かつ該寝浴用ストレッチャーを進入退避させることが可能な低位置まで下降させうる浴槽昇降機と、前記浴槽の短辺側縁の外方に設置された、座浴用椅子を搬入搬出する椅子搬出入機とを備えることを特徴とする。
第２発明の寝浴座浴両用入浴装置は、第１発明において、前記浴槽昇降機が、床面に設置される下フレームと、前記浴槽の底面に取付けられた上フレームと、前記下フレームと前記上フレームとの間に連結されたパンタグラフ機構と、該パンタグラフ機構を伸縮させる水圧シリンダとからなり、前記水圧シリンダの駆動源が電池であることを特徴とする。
第３発明の寝浴座浴両用入浴装置は、第１発明において、前記搬出入機が、基台と、前記基台上に設けられ、前記浴槽に対して水平方向に移動可能な横移動手段と、前記横移動手段上に設けられ、前記浴槽に対して上下方向に移動可能な昇降手段と、前記昇降手段に取付けられた座浴用椅子を着脱自在に係着する椅子係着部とを備えており、前記横移動手段が、横フレーム機構と該横フレーム機構を作動させる水圧シリンダと前記横フレーム機構の作動をガイドする横ガイド機構とからなり、前記横フレーム機構は、基台上に取付けられた基端フレームと、該基端フレームに対し横移動自在な中間フレームと、該中間フレームに対して横移動自在な先端フレームとからなり、前記昇降手段が縦フレーム機構と該縦フレーム機構を作動させる水圧シリンダと前記縦フレーム機構の作動をガイドする縦ガイド機構とからなり、前記縦フレーム機構は、下段フレームと該下段フレームに対して昇降自在な上段フレームとからなることを特徴とする。
第４発明の寝浴座浴両用入浴装置は、第３発明において、前記横ガイド機構は、前記中間フレームに取付けられたガイドバーが、前記基端フレームに取付けられたガイドローラと前記先端フレームに取付けられたガイドローラで挟まれており、前記先端フレームは前記基端フレームに取付けられた固定ローラでガイドされるガイド構造であることを特徴とする。
第５発明の寝浴座浴両用入浴装置は、第３発明において、前記縦ガイド機構は、前記下段フレームに取付けたガイドローラで、前記上段フレームに取付けたガイドバーを挟んでガイドするガイド構造からなり、前記水圧シリンダの駆動源が電池であることを特徴とする。
【発明の効果】
【０００８】
第１発明によれば、浴槽昇降機を使えば、浴槽を寝浴用ストレッチャー上の入浴者を入浴させうる高位置まで上昇させ、かつ寝浴用ストレッチャーを進入退避させることが可能な低位置まで下降させうる。また、搬出入機を使えば、人が座った座浴用椅子を浴槽内へ搬入したり浴槽外へ搬出することができる。このため、寝浴用ストレッチャーに仰臥した入浴者および座浴用椅子に座った入浴者の両方とも入浴可能とすることができる。
第２発明によれば、パンタグラフ機構を水圧シリンダで伸縮させると浴槽を寝浴用ストレッチャー上の入浴者を入浴させうる高位置まで上昇させ、かつ該寝浴用ストレッチャーを進入退避させることが可能な低位置まで下降させうる。また、パンダグラフの駆動は小さな動力で行えるので電池により水圧シリンダを駆動することができる。したがって、従来の交流電源を使用する場合に比べて、漏電による感電のおそれがなく、高齢者や身体障害者にとって特に重要な安全性の向上が図られる。
第３発明によれば、横移動手段は横フレーム機構を横ガイド機構で案内し、昇降手段は縦フレーム機構を縦ガイド機構で案内する構造なので、水平の維持度も高く垂直の維持度も高い。このため、撓みやこじりによる抵抗は生じない。このため、移動抵抗は非常に小さくなっている。
第４発明によれば、横移動手段はガイドバーをガイドローラで挟んでガイドする構造なので、水平の維持度が高く、撓みやこじりによる抵抗は生じない。しかもガイドローラによる転動を用いるので移動抵抗は非常に小さくなっている。このため、水圧シリンダの動力源が電池であっても充分駆動できる。したがって、従来の交流電源を使用する場合に比べて、漏電による感電のおそれがなく、高齢者や身体障害者にとって特に重要な安全性の向上が図られる。
第５発明によれば、昇降手段はガイドバーをガイドローラで挟んでガイドする構造なので、垂直の維持度が高く、撓みやこじりによる抵抗は生じない。しかもガイドローラによる転動を用いるので移動抵抗は非常に小さくなっている。このため、水圧シリンダの動力源が電池であっても充分駆動できる。したがって、従来の交流電源を使用する場合に比べて、漏電による感電のおそれがなく、高齢者や身体障害者にとって特に重要な安全性の向上が図られる。
【図面の簡単な説明】
【０００９】
【図１】本発明の一実施形態に係る寝浴座浴両用入浴装置の側面図である。
【図２】図１の寝浴座浴両用入浴装置の平面図である。
【図３】浴槽昇降機の説明図である。
【図４】図１に示す搬出入機の側面図である。
【図５】搬出入機の収縮時における正面図である。
【図６】搬出入機の伸長時における側面図である。
【図７】搬出入機の伸長時における正面図である。
【図８】搬出入機の伸長時における平面図である。
【図９】横ガイド機構の拡大側面図である。
【図１０】縦ガイド機構の拡大側面図である。
【図１１】水圧シリンダ３０、７０の水圧回路図である。
【図１２】寝浴操作の説明図である。
【図１３】座浴操作の説明図である。
【発明を実施するための形態】
【００１０】
つぎに、本発明の実施形態を図面に基づき説明する。
本発明の入浴装置は、高齢者や身体障害者などの要介護者を寝浴形式でも座浴形式でも入浴させうる寝浴座浴両用入浴装置（以下、入浴装置という）である。
【００１１】
（全体構成）
図１および図２に示すように、本実施形態の入浴装置Ａは、寝浴用の浴槽Ｂとこの浴槽Ｂを昇降させる浴槽昇降機Ｃと、座浴用椅子を浴槽Ｂに搬出入させる椅子搬出入機Ｄとからなる。
なお、要介護者を入浴させるために用いるストレッチャーＥと座浴用椅子Ｆは、本発明の構成要件ではないが、入浴時には利用される。
【００１２】
（浴槽Ｂ）
図１および図２に示す浴槽Ｂは、寝浴用の浴槽である。浴槽には寝浴用の浴槽と座浴用の浴槽の２種類があるが、寝浴用の浴槽は人が仰臥した姿勢で利用するので座浴用の浴槽に比べて長さが長いものが用いられる。なお、座浴には寝浴用の浴槽を使いうることは勿論である。
【００１３】
図２に示すように、浴槽Ｂは平面視で長方形であって、一対の長辺縁ｂ１と一対の短辺縁ｂ２とを有する。長辺縁ｂ１はストレッチャーＥが接近する側であり、短辺縁ｂ２は椅子搬出入機Ｄが設置される側である。
図２に点線図示するように、浴槽Ｂの下面には浴槽昇降機Ｃが設置され（図１には示していない）、この浴槽昇降機Ｃによって浴槽Ｂが昇降するようになっている。
【００１４】
（浴槽昇降機Ｃ）
図２および図３に示すように、浴槽昇降機Ｃは、浴槽Ｂの下面と床面Ｇとの間に設置された、浴槽Ｂを昇降させる昇降機構である。浴槽昇降機Ｃの基本構成は、床面Ｇに設置される下フレーム６１と浴槽Ｂの底面に取付けられた上フレーム６２と、これら下フレーム６１および上フレーム６２との間に連結されたパンダグラフ機構６３と、このパンタグラフ機構６３を伸縮させる水圧シリンダ７０とからなる。
【００１５】
パンタグラフ機構６３は、第１リンク６４と第２リンク６５を備えており、両リンク６４、６５の中間部はピン63pで枢支され、第１リンク６４の下端は下フレーム６１の一端部にピン64pで枢支され、第２リンク６５の上端は上フレーム６２の一端部にピン65pで枢支されている。
他方、第１リンク６４の上端に軸支されているローラ64rは上フレーム６２に形成されたガイド部62g内を転動し、第２リンク６５の下端に軸支されているローラ65rは下フレーム６１に形成されたガイド部61g内を転動するようになっている。
【００１６】
そして、水圧シリンダ７０のシリンダ部７１は第２リンク６５に連結され、ロッド７２は第１リンク６４に連結されている。このため、水圧シリンダ７０を伸縮させるとパンタグラフ機構６３を構成する第１、第２リンク６４、６５は開閉動作をして、高さ寸法が高低に変動する。このため、浴槽Ｂを昇降させることができる。
【００１７】
（ストレッチャーＥ）
図１に示すストレッチャーＥは公知のもので、台車８１と支柱８２とベッド８３とからなる。図示のストレッチャーＥは例示であって、公知のストレッチャーのどのようなものも本発明に利用できる。
図１に示すストレッチャーＥの台車８１は、図２に示す浴槽昇降機Ｃに干渉することなく、下降位置にある浴槽Ｂの下面に進入でき、この状態でベッド８３を浴槽Ｂの上方に位置させることができる。つまり、図１に示す状態で、浴槽Ｂを上昇させるとベッド８３上に仰臥した要介護者を湯舟につかすことができる。
【００１８】
（座浴用の椅子搬出入機Ｄ）
椅子搬出入機Ｄを図４〜図１１に基づき説明する。図４および図５は、図１と同様の移動前姿勢を示し、図６〜図８は移動後姿勢を示す。椅子搬出入機Ｄの基本構成は、横移動手段１と昇降手段２が基台３上に設けられた構造であり、移動前姿勢は横移動手段１が横移動しておらず、昇降手段２が下降している状態をいう。移動後姿勢は横移動手段１が横移動しており、かつ昇降手段２が上昇している状態をいう。
【００１９】
基台３は、浴槽Ｂの短辺縁ｂ２の外に付設される。浴槽Ｂに基台３を付設する際、図１および図２における基台３の右側にスペースを確保する必要は無く、浴室の壁に隣接して基台３を設置することができる。
基台３上には、横移動手段１が設けられており、この横移動手段１上には昇降手段２が設けられている。なお、昇降手段２には、座浴用の椅子Ｆの椅子係着部７が取付けられている。
【００２０】
横移動手段１は、昇降手段２を浴槽Ｂに対して接近離間するように移動させる機能を有する。つまり、横移動手段１により昇降手段２は、図１３に示す使用位置Ｕと準備位置Ｓとの間で移動できる。なお、使用位置Ｕとは椅子Ｄを浴槽Ｂ内に降ろせる位置であり、準備位置Ｓとは椅子Ｄを洗い場に降ろせる位置である。
昇降手段２は、椅子係着部７を降下位置Ｌと上昇位置Ｈとの間で昇降させる機能を有している。降下位置Ｌは浴槽Ｂ内や洗い場Ｃで椅子Ｄを下した位置であり、上昇位置Ｈは椅子Ｄを浴槽Ｂのヘリを乗り越える位置である。
【００２１】
つぎに、横移動手段１の構成を図４〜図８に基づいて説明する。
横移動手段１は、横フレーム機構と水圧シリンダと横ガイド機構からなる。
横フレーム機構は、図５および図７に示すように、基台３上に取り付けられた基端フレーム１１と、中間フレーム１２と先端フレーム１３とを有している。本実施形態は先端フレーム１３を手動で引き出すタイプであるが、動力化する場合は基端フレーム１１の基端部（図中の左端）と先端フレーム１３の先端部（図中の右端）との間に水圧シリンダを取付ければよい。
【００２２】
横フレーム機構の詳細と横ガイド機構をさらに説明する。
前記基端フレーム１１は、左右一対の立板と底板とからなる。この基端フレーム１１の左右一対の立板における上段部と下段部のそれぞれにおいて、ガイドローラ11rが複数個づつ取付けられている。複数個のガイドローラ11rは先端フレーム１３の移動方向に沿って間隔をあけて取付けられている。
基端フレーム１１の底板上には固定ローラ10rが複数個取付けられている。複数個の固定ローラ10rは先端フレーム１３の走行方向に沿って設けられており、先端フレーム１３を走行自在に支持している。
【００２３】
前記中間フレーム１２は、前後２枚の端面板12eを有し、それらの間に上下一対のガイドバー12gを左右に備えて構成されている。
【００２４】
前記先端フレーム１３は、左右一対の立板と先端側の端面板とからなる。先端フレーム１３における左右一対の立板の中段部において、上段部と下段部のそれぞれに、ガイドローラ13rが複数個づつ取付けられている。複数個のガイドローラ13rは先端フレーム１３の移動方向に沿って間隔をあけて取付けられている。
【００２５】
中間フレーム１２のガイドバー12gは基端フレーム１１のガイドローラ11rと先端フレーム１３のガイドローラ13rで上下から挟まれており、中間フレーム１２が基端フレーム１１に対し伸縮自在であり、先端フレーム１３も固定ローラ10r上で伸縮自在である。本明細書では、この構造を横ガイド機構１０という。
【００２６】
図７に示すように、先端フレーム１３を手動で引き出すと中間フレームにも伸長し、先端フレーム１３の先端部はローラ１５で支えられ、後端部は中間フレーム１２で支えられる。手動で先端フレーム１３を押し戻すと、図５に示すように、先端フレーム１３も中間フレーム１２も基端フレーム１１内に収められる。
【００２７】
図９の拡大図に示すように、横ガイド機構１０は、中間フレーム１２に取付けられたガイドバー12gが、基端フレーム１１に取付けられたガイドローラ11rと先端フレーム１３に取付けられたガイドローラ13rで挟まれており、先端フレーム１３は基端フレーム１１に取付けられた固定ローラ10rでガイドされるガイド構造である。
【００２８】
このように、ガイドバー12gをガイドローラ11r、13rで挟んでガイドする構造なので、水平の維持度も高く垂直の維持度も高い。このため、撓みやこじりによる抵抗は生じない。しかもガイドローラ11r、13rによる転動を用いるので移動抵抗は非常に小さくなっている。このため、人力でも軽い力で動くし、水圧シリンダを使ったとしても電池で充分駆動できる。
【００２９】
前記横移動手段１の上には、昇降手段２が立設されている。
昇降手段２は、図５、図７および図８に示すように、縦フレーム機構と水圧シリンダと縦ガイド機構からなる。
縦フレーム機構は、下段フレーム２１と上段フレーム２２と中間フレーム２３とから構成されている。下段フレーム２１は４枚の板材からなる断面四角形のフレームであり、上段フレーム２２も３枚の板材からなる断面Ｕ形のフレームである。そして、下段フレーム２１の下端と上段フレーム２２の上端との間に水圧シリンダ３０が取付けられている。
【００３０】
下段フレーム２１と上段フレーム２２との間には、縦ガイド機構２０が設けられている。この縦ガイド機構２０は、下段フレーム２１側に取付けたガイドローラ21rと中間フレーム２３を構成する上下両端の固定板に取付けたガイドバー23bとから構成されている。この中間フレーム２３は上段フレーム２２の昇降に合わせて昇降するよう上段フレーム２２から吊り下げるか、押し材で押し上げるようにされている。
【００３１】
上記に加え、上段フレーム２２にガイドローラ22rを軸支し、ガイドバー23bを二つのガイドローラ21r、22rで挟むようにしてもよい。
【００３２】
図１０の拡大図に示すように、前記縦ガイド機構２０は、前記下段フレーム２１に取付けたガイドローラ21rでガイドバー23bを案内するか、または、さらに、前記上段フレーム２２に取付けたガイドローラ22rで、ガイドバー23bを挟んでガイドするように構成される。
【００３３】
このように、ガイドバー23bを一方のをガイドローラ21rで案内するか、あるいは一対のガイドローラ21r、22rで挟んでガイドする構造なので、垂直の維持度が高い。このため、撓みやこじりによる抵抗は生じない。しかもガイドローラ21r、22rによる転動を用いるので移動抵抗は非常に小さくなっている。このため、水圧シリンダ３０の動力源が電池であっても充分駆動できる。
【００３４】
図５および図７に示すように、水圧シリンダ３０は、外側シリンダと内側シリンダとロッドの２段式のシリンダで構成されているが、１段構造のシリンダであってもよい。
水圧シリンダ３０に多段シリンダ型を用いると、伸長ストロークは大きくとれながら、収縮時の寸法を小さくすることができる。
本実施形態では、ロッド側を下にして下段フレーム２１の底端に取付け、シリンダを上段フレーム２２の上端に取付けているが、これを逆にしてもよい。
【００３５】
水圧シリンダ３０を伸長させて、昇降手段２を伸長させた状態が図６および図７に示され、収縮させて昇降手段２を収縮させた状態が図４および図５に示されている。
図６の伸長状態では椅子係着部７は上昇位置Ｈとなり、図４の収縮状態では椅子係着部７は降下位置Ｌに対応する。
【００３６】
図１および図４に示すように、昇降手段２の上段フレーム２２の前面（浴槽Ｂに面する側）には、椅子係着部７が取付けられているので、この椅子係着部７に椅子Ｄの係着金具を引っ掛けると、椅子Ｄを上段フレーム２２に取付けた状態にできる。
【００３７】
（水圧回路）
浴槽昇降機Ｃの水圧シリンダ７０および昇降手段２の水圧シリンダ３０は、加圧媒体に水を使っている。水を使用しているとパッキンの摩耗等が原因で漏洩が生じても、もれ出るのは水だけであるので、油圧シリンダから油漏れが生じたときのような浴室の汚れは生じない。
【００３８】
水圧シリンダ３０、７０の水圧回路を図１０に基づき説明する。
４０は水タンク、４１はポンプ、４２はポンプ駆動用モータである。ポンプ４１の吐出管は切換弁４５を介して、水圧シリンダ３０と水圧シリンダ７０に選択的に接続される。
【００３９】
水圧シリンダ３０、７０には供給管５１と排出管５２が接続されている。供給管５１には、逆止弁５３が介装されている。この逆止弁５３は供給が順方向であり、逆流を阻止するものである。
排出管５２には、電磁開閉弁５４が介装されている。電磁開閉弁５４を閉にして水圧を供給すれば、水圧シリンダ３０、７０は伸長し、電磁開閉弁５４を開にすれば、水圧シリンダ３０、７０は負荷と自重で収縮する。
【００４０】
水圧シリンダ３０の動作と水圧シリンダ７０の動作の切替えは、方向切換弁４５で行う。方向切換弁４５をＩ位置にすれば水圧シリンダ３０が動作し、方向切換弁４５をII位置にすれば水圧シリンダ７０が動作する。
【００４１】
（使用上の利点）
本発明では、昇降手段２は横移動手段１によって水平移動されるため、従来の水平回動させるものに比べてモーメントが小さく、低圧での昇降動作が可能となる。しかも、水圧シリンダ３０、７０の水圧回路は閉回路でよいので、使用する水量は少量でよい。このため、水圧ユニットを小型化することができる。
【００４２】
水圧シリンダ３０、７０の駆動用モータの電源は電池である。このため、停電時でも水圧シリンダ３０、７０を駆動することができるので好ましい。また、電池式とすることによって、従来の交流電源を使用する場合に比べて、漏電による感電のおそれがなく、安全性の向上も図られる。
【００４３】
水圧シリンダ３０、７０の使用水量は少なくてよいので、水タンク４０は、椅子搬出入機Ｄ用が３リットル位と浴槽昇降機Ｃ用が１リットル位のものを合わせて４リットル位で足りる。タンクの個数は１個でも２個でもよい。また、ポンプの吐出能力を小さくしてよいので、ポンプ４１やポンプ駆動用モータ４２は小型でよく、電池も２４Ｖ程度の小容量のものでよい。
そして、これらを一体にまとめた水圧駆動ユニット５０はコンパクトであるので、図７に示すように、機枠上の空スペース等に設置する事が可能である。
【００４４】
（入浴装置Ａの使用方法）
本実施形態に係る入浴装置Ａによると、要介護者の入浴を寝浴、座浴両方とも安全かつ容易にし得る。
【００４５】
（寝浴の方法）
図１および図１２に示すように、浴槽Ｂの長辺縁ｂ２にストレッチャーＥを近接させて、浴槽昇降機Ｃで浴槽Ｂを上昇させると、ストレッチャーＥ上に仰臥している要介護者を湯舟につけることができる。
入浴が終れば、浴槽Ｂを下降させ、ストレッチャーＥを退避させればよい。
【００４６】
（座浴の方法）
図１３に示すように、要介護者を着座させる椅子Ｆを用い、椅子Ｆの背面側を昇降手段２の前面に向けて配置し、昇降手段２が備える椅子係着部７に椅子Ｆを係着する。そして、昇降手段２によって椅子Ｆを上昇させる。
【００４７】
椅子Ｆが上昇したら、その状態のままで横移動手段１によって椅子Ｆを水平方向に横移動させる。つまり、図１３に示すように、使用位置Ｕへ水平移動させる。
最後に、昇降手段２によって椅子Ｆを降下させることにより、椅子Ｆに着座したままの要介護者を簡単に入浴させることができる。
【００４８】
本実施形態の入浴装置Ａによると、浴槽昇降機Ｃを使えば、浴槽Ｂを寝浴用ストレッチャーＥ上の入浴者を入浴させうる高位置まで上昇させ、かつ寝浴用ストレッチャーＥを進入退避させることが可能な低位置まで下降させうる。また、搬出入機Ｄを使えば、人が座った座浴用椅子Ｆを浴槽内へ搬入したり浴槽外へ搬出することができる。このため、寝浴用ストレッチャーＥに仰臥した入浴者および座浴用椅子Ｆに座った入浴者の両方とも入浴可能とすることができる。
【産業上の利用可能性】
【００４９】
本発明の入浴装置は、介護施設や病院などの施設において好適であるが、一般家庭の浴室にも設置できる。
【符号の説明】
【００５０】
Ａ  入浴装置
Ｂ  浴槽
Ｃ  浴槽昇降機
Ｄ  椅子搬出入機
１  横移動手段
２  昇降手段
３  基台
７  椅子係着部
１０  ガイド機構
１１  基端フレーム
１２  中間フレーム
１３  先端フレーム
１５  ローラ
２０  縦ガイド機構
２１  下段フレーム
２２  上段フレーム
２３  中間フレーム
３０  水圧シリンダ
４０  水タンク
４１  ポンプ
４２  ポンプ駆動用モータ
４５  切換弁
５０  水圧駆動ユニット
５１  供給管
５２  排出管
５３  逆止弁
５４  電磁開閉弁
６１  下フレーム
６２  上フレーム
６３  パンタグラフ機構
６４  第１リンク
６５  第２リンク
７０  水圧シリンダ
７１  シリンダ部
７２  ロッド
【図１】
2017213146.tif 000003
【図２】
2017213146.tif 000004
【図３】
2017213146.tif 000005
【図４】
2017213146.tif 000006
【図５】
2017213146.tif 000007
【図６】
2017213146.tif 000008
【図７】
2017213146.tif 000009
【図８】
2017213146.tif 000010
【図９】
2017213146.tif 000011
【図１０】
2017213146.tif 000012
【図１１】
2017213146.tif 000013
【図１２】
2017213146.tif 000014
【図１３】
2017213146.tif 000015
【手続補正書】
【提出日】平成29年7月20日(2017.7.20)
【手続補正１】
【補正対象書類名】特許請求の範囲
【補正対象項目名】全文
【補正方法】変更
【補正の内容】
【特許請求の範囲】
【請求項１】
寝浴用ストレッチャーに仰臥した入浴者および座浴用椅子に座った入浴者の両方とも入浴可能とする入浴装置であって、
寝浴用の長尺の浴槽と、
前記寝浴用ストレッチャーを前記浴槽の長辺側縁に接近させた状態で、該浴槽を寝浴用ストレッチャー上の入浴者を入浴させうる高位置まで上昇させ、かつ該寝浴用ストレッチャーを進入退避させることが可能な低位置まで下降させうる浴槽昇降機と、
前記浴槽の短辺側縁の外方に設置された、座浴用椅子を搬入搬出する椅子搬出入機と、
前記椅子搬出入機が、基台と、
前記基台上に設けられ、前記浴槽に対して水平方向に移動可能な横移動手段と、
前記横移動手段上に設けられ、前記浴槽に対して上下方向に移動可能な昇降手段と、
前記昇降手段に取付けられた座浴用椅子を着脱自在に係着する椅子係着部とを備えており、
前記横移動手段が、横フレーム機構と該横フレーム機構を作動させる水圧シリンダと前記横フレーム機構の作動をガイドする横ガイド機構とからなり、
前記横フレーム機構は、基台上に取付けられた基端フレームと、該基端フレームに対し横移動自在な中間フレームと、該中間フレームに対して横移動自在な先端フレームとからなり、
前記横ガイド機構は、前記中間フレームに取付けられたガイドバーが、前記基端フレームに取付けられたガイドローラと前記先端フレームに取付けられたガイドローラで挟まれており、前記先端フレームは前記基端フレームに取付けられた固定ローラでガイドされるガイド構造であり、
前記昇降手段が縦フレーム機構と該縦フレーム機構を作動させる水圧シリンダと前記縦フレーム機構の作動をガイドする縦ガイド機構とからなり、
前記縦フレーム機構は、下段フレームと該下段フレームに対して昇降自在な上段フレームとからなる
ことを特徴とする寝浴座浴両用入浴装置。
【請求項２】
前記縦ガイド機構は、前記下段フレームに取付けたガイドローラで、前記上段フレームに取付けたガイドバーを挟んでガイドするガイド構造からなり、
前記水圧シリンダの駆動源が電池である
ことを特徴とする請求項１記載の寝浴座浴両用入浴装置。
【手続補正２】
【補正対象書類名】明細書
【補正対象項目名】０００７
【補正方法】変更
【補正の内容】
【０００７】
第１発明の寝浴座浴両用入浴装置は、寝浴用ストレッチャーに仰臥した入浴者および座浴用椅子に座った入浴者の両方とも入浴可能とする入浴装置であって、寝浴用の長尺の浴槽と、前記寝浴用ストレッチャーを前記浴槽の長辺側縁に接近させた状態で、該浴槽を寝浴用ストレッチャー上の入浴者を入浴させうる高位置まで上昇させ、かつ該寝浴用ストレッチャーを進入退避させることが可能な低位置まで下降させうる浴槽昇降機と、前記浴槽の短辺側縁の外方に設置された、座浴用椅子を搬入搬出する椅子搬出入機と、前記椅子搬出入機が、基台と、前記基台上に設けられ、前記浴槽に対して水平方向に移動可能な横移動手段と、前記横移動手段上に設けられ、前記浴槽に対して上下方向に移動可能な昇降手段と、前記昇降手段に取付けられた座浴用椅子を着脱自在に係着する椅子係着部とを備えており、前記横移動手段が、横フレーム機構と該横フレーム機構を作動させる水圧シリンダと前記横フレーム機構の作動をガイドする横ガイド機構とからなり、前記横フレーム機構は、基台上に取付けられた基端フレームと、該基端フレームに対し横移動自在な中間フレームと、該中間フレームに対して横移動自在な先端フレームとからなり、前記横ガイド機構は、前記中間フレームに取付けられたガイドバーが、前記基端フレームに取付けられたガイドローラと前記先端フレームに取付けられたガイドローラで挟まれており、前記先端フレームは前記基端フレームに取付けられた固定ローラでガイドされるガイド構造であり、前記昇降手段が縦フレーム機構と該縦フレーム機構を作動させる水圧シリンダと前記縦フレーム機構の作動をガイドする縦ガイド機構とからなり、前記縦フレーム機構は、下段フレームと該下段フレームに対して昇降自在な上段フレームとからなることを特徴とする。
第２発明の寝浴座浴両用入浴装置は、第１発明において、前記縦ガイド機構は、前記下段フレームに取付けたガイドローラで、前記上段フレームに取付けたガイドバーを挟んでガイドするガイド構造からなり、前記水圧シリンダの駆動源が電池であることを特徴とする。
【手続補正３】
【補正対象書類名】明細書
【補正対象項目名】０００８
【補正方法】変更
【補正の内容】
【０００８】
第１発明によれば、つぎの効果を奏する。
ａ）浴槽昇降機を使えば、浴槽を寝浴用ストレッチャー上の入浴者を入浴させうる高位置まで上昇させ、かつ寝浴用ストレッチャーを進入退避させることが可能な低位置まで下降させうる。また、搬出入機を使えば、人が座った座浴用椅子を浴槽内へ搬入したり浴槽外へ搬出することができる。このため、寝浴用ストレッチャーに仰臥した入浴者および座浴用椅子に座った入浴者の両方とも入浴可能とすることができる。
ｂ）椅子搬出入機における横移動手段は横フレーム機構を横ガイド機構で案内し、昇降手段は縦フレーム機構を縦ガイド機構で案内する構造なので、水平の維持度も高く垂直の維持度も高い。このため、撓みやこじりによる抵抗は生じない。このため、移動抵抗は非常に小さくなっている。
ｃ）前記横移動手段はガイドバーをガイドローラで挟んでガイドする構造なので、水平の維持度が高く、撓みやこじりによる抵抗は生じない。しかもガイドローラによる転動を用いるので移動抵抗は非常に小さくなっている。このため、水圧シリンダの動力源が電池であっても充分駆動できる。したがって、従来の交流電源を使用する場合に比べて、漏電による感電のおそれがなく、高齢者や身体障害者にとって特に重要な安全性の向上が図られる。
第２発明によれば、昇降手段はガイドバーをガイドローラで挟んでガイドする構造なので、垂直の維持度が高く、撓みやこじりによる抵抗は生じない。しかもガイドローラによる転動を用いるので移動抵抗は非常に小さくなっている。このため、水圧シリンダの動力源が電池であっても充分駆動できる。したがって、従来の交流電源を使用する場合に比べて、漏電による感電のおそれがなく、高齢者や身体障害者にとって特に重要な安全性の向上が図られる。